(57)【要約】【課題】  ｋＴＣノイズを抑制して、映像信号の画質の劣化を軽減できるようにした信号処理回路及びその信号処理回路を用いた撮像装置を提供する。【解決手段】  固体撮像素子１に対して電荷蓄積時間に設定する電荷蓄積時間設定部２と、前記固体撮像素子からの映像信号出力をサンプルホールドする容量値可変のコンデンサを有するサンプルホールド回路３を備えた映像信号処理部５と、前記電荷蓄積時間設定部における電荷蓄積時間の設定に応じて前記サンプルホールド回路のコンデンサの容量値を設定する容量設定部６とを設けて、信号処理回路を構成する。【選択図】        図  １
2007043258.tif 000002
【特許請求の範囲】
【請求項１】
固体撮像素子に対して電荷蓄積時間を設定する電荷蓄積時間設定部と、前記固体撮像素子からの映像信号出力をサンプルホールドする容量値可変のコンデンサを有するサンプルホールド回路と、前記電荷蓄積時間設定部における電荷蓄積時間の設定に応じて前記サンプルホールド回路のコンデンサの容量値を設定する容量設定部とを具備する信号処理回路。
【請求項２】
前記容量設定部は、前記電荷蓄積時間設定部により設定された電荷蓄積時間が、予め設定されている閾値時間より長い場合に、前記サンプルホールド回路の前記映像信号出力をホールドするコンデンサの容量値を増加させることを特徴とする請求項１に係る信号処理回路。
【請求項３】
前記閾値時間を、前記容量設定部に対して設定する閾値時間設定部を更に有することを特徴とする請求項２に係る信号処理回路。
【請求項４】
固体撮像素子からの映像信号出力をサンプルホールドする容量値可変のコンデンサを有するサンプルホールド回路と、複数の撮影モードから所望の撮影モードを設定するモード設定部と、前記モード設定部による撮影モードの設定に応じて、前記サンプルホールド回路の前記映像信号出力をホールドするコンデンサの容量値を可変する容量設定部とを有することを特徴とする信号処理回路。
【請求項５】
前記サンプルホールド回路は、差動増幅器と、一端が前記差動増幅器の入力端子に接続された第１のコンデンサと、信号入力端子に一端を接続し、他端を前記第１のコンデンサの他端に接続した第１のスイッチと、前記第１のコンデンサの他端と前記差動増幅器の出力端子とを接続する第２のスイッチと、直列に接続された第３のスイッチと第２の容量とを１ユニットとして、このユニットを前記第１のコンデンサに並列に１ユニット以上接続した容量可変部とを有することを特徴とする請求項１〜４のいずれか１項に係る信号処理回路。
【請求項６】
前記容量設定部にて設定された前記サンプルホールド回路のコンデンサの容量値に応じ、前記固体撮像素子の映像信号読み出し周波数と、前記サンプルホールド回路のサンプリング周波数とを制御する周波数制御部を更に有することを特徴とする請求項１〜５のいずれか１項に係る信号処理回路。
【請求項７】
固体撮像素子と、前記固体撮像素子からの信号を処理する請求項１〜６のいずれか１項に係る信号処理回路と、前記信号処理回路からの出力を外部装置が要求する信号形式に変換する出力信号変換部とを備えることを特徴とする撮像装置。
【発明の詳細な説明】
【技術分野】
【０００１】
この発明は、固体撮像装置から出力されるアナログ信号を処理する信号処理回路、及びその信号処理回路を用いたデジタルカメラ（電子カメラ）等の撮像装置に関する。
【背景技術】
【０００２】
電子カメラにおいては、固体撮像素子から得られたアナログ映像信号を信号処理部にて、増幅、各種信号処理、Ａ／Ｄ変換して映像信号を処理している。従来より用いられている前記信号処理部の構成例を図６に示す。図６に示す信号処理部100 は、固体撮像素子200 に含まれるノイズを除去するノイズ除去回路（ＣＤＳ）300 と、該ノイズ除去回路300 によりノイズを除去したアナログ映像信号を所望の振幅に増幅する可変利得増幅器（ＰＧＡ）400 と、アナログ信号をデジタル信号に変換するＡ／Ｄ変換回路（Ａ／Ｄ）500 と、固体撮像素子200 からのアナログ映像信号の黒レベルを所定のレベルに設定するクランプ回路600 とで構成されている。
【０００３】
図７は、図６に示した信号処理部100 のより具体的な構成例を示す回路図であり、図８は、図７に示した信号処理部における各部の信号波形を示す図である。図７において、図６の構成要素と同じ構成要素は同一の符号を付して示している。図７に示す信号処理部は、固体撮像素子200 とノイズ除去回路300 の間に、コンデンサ701 とバッファ回路702 が直列に接続されたＡＣ結合回路700 が接続されている。
【０００４】
前記ＡＣ結合回路700 のバッファ回路702 の出力は、前記ノイズ除去回路300 のスイッチＳＷ101 とスイッチＳＷ102 の一端に共通に接続され、前記スイッチＳＷ101 の他端は、増幅器305 の反転入力端子と他端が基準電圧に接続されたコンデンサ301 の一端に接続され、前記スイッチＳＷ102 の他端は、バッファ回路303 の入力端子と他端が基準電圧に接続されたコンデンサ302 の一端に接続されている。
【０００５】
前記バッファ回路303 の出力端子は、スイッチＳＷ103 の一端に接続され、該スイッチＳＷ103 の他端は、前記増幅器305 の非反転入力端子と他端が基準電圧に接続されたコンデンサ304 の一端に接続されている。前記ノイズ除去回路300 の増幅器305 の出力端子は、可変利得増幅器400 の差動増幅器401 の非反転入力端子に接続され、前記差動増幅器401 の反転入力端子は、他端が基準電圧に接続された抵抗402 と、スイッチ404a〜404dにそれぞれ直列接続された帰還抵抗403a〜403dの一端に接続され、スイッチ404a〜404dの他端は共通に、前記差動増幅器401 の出力端子に接続されている。
【０００６】
前記差動増幅器401 の出力端子は、Ａ／Ｄ変換回路500 の入力端子と、クランプ回路600 の差動増幅器601 の反転入力端子に接続され、前記差動増幅器601 の非反転入力端子はクランプの基準電圧源604 に接続され、前記差動増幅器601 の出力端子はスイッチ602 の一端に接続され、該スイッチ602 の他端は、前記ノイズ除去回路300 の差動増幅器305 と、他端が基準電圧に接続されたコンデンサ603 の一端に接続されている。
【０００７】
次に、このように構成された信号処理部の動作について説明する。図８の信号波形図に示すように、固体撮像素子200 の出力端子からは、固体撮像素子内のリセットスイッチがオンのときには、リセットレベルが出力され、リセットスイッチがオフのときには、フィードスルーレベルが出力される。この後、転送部により信号電荷が転送されて、信号レベルが出力される。フィードスルーレベル及び信号レベルが出力される際には、リセットノイズが信号に重畳されている。フィードスルーレベル及び信号レベルで重畳されているノイズは、ほぼ同等であり、フィードスルーレベルと信号レベルとの差を取ることにより重畳しているノイズを除去する手法が、ノイズ除去回路300 における相関二重サンプリング（ＣＤＳ）処理である。
【０００８】
図７において、スイッチＳＷ102 とコンデンサ302 で構成される第１のサンプルホールド回路306 は、サンプリングパルスＳφ１によりスイッチＳＷ102 を駆動してフィードスルーレベルをホールドし、スイッチＳＷ101 とコンデンサ301 で構成される第２のサンプルホールド回路307 は、サンプリングパルスＳφ２によりスイッチＳＷ102 を駆動して信号レベルをホールドする。同時に、スイッチＳＷ103 とコンデンサ304 で構成される第３のサンプルホールド回路308 は、前記第１のサンプルホールド回路306 でホールドされたフィードスルーレベルを再びホールドする。
【０００９】
前記第２のサンプルホールド回路307 と前記第３のサンプルホールド回路308 の出力端子は、それぞれ差動増幅回路305 の非反転入力端子と反転入力端子に接続されているので、差動増幅回路305 の出力には、ノイズ成分が除去されたアナログ映像信号が得られ、可変利得増幅器400 の差動増幅器401 の非反転入力端子に入力される。
【００１０】
可変利得増幅器400 では、スイッチ404a〜404dの状態によりオン状態になる帰還抵抗403a〜403dと抵抗402 の比で利得を可変することができる。よって、ノイズ除去回路300 によりノイズを除去したアナログ映像信号が可変利得増幅器400 で所望の振幅に増幅され、Ａ／Ｄ変換器500 によりアナログ映像信号はデジタル映像信号に変換される。クランプ回路600 では、クランプパルスによりスイッチ602 を駆動し、コンデンサ603 を差動増幅器601 の出力電流により充放電することで、前記ノイズ除去回路300 の黒レベルを基準電圧源604 の電圧値にクランプする。
【００１１】
ところで、前記ノイズ除去回路（ＣＤＳ）300 では、固体撮像素子200 のリセットノイズは除去できるが、暗電荷ノイズは除去できない。電子カメラ等の撮像装置では、露光時間（シャッター速度）を長くすると、暗電荷ノイズの影響により画像を劣化させる要因となる。また、前記信号処理部のノイズ除去回路（ＣＤＳ）300 ，可変利得増幅器400 にてｋＴＣノイズ（リセットノイズとも称され、容量に接続された導線やスイッチなどのもつ抵抗の熱雑音である）が発生する。よって、前記Ａ／Ｄ変換器500 で変換されたデジタル映像信号には、暗電荷ノイズと前記信号処理部のｋＴＣノイズが含まれる。
【特許文献１】特開２００１−２１８１０５号公報
【発明の開示】
【発明が解決しようとする課題】
【００１２】
電子カメラ等の撮像装置は、より高画質化が求められており、特に長時間露光時の画質劣化の特性改善が望まれている。長時間露光時の画質劣化を軽減させる手法としては、例えば特開２００１−２１８１０５号公報には、低ノイズモードでは、ゲインアップした後に、ｎ画素加算をすることでノイズを低減する手法が開示されている。しかしながら、信号処理部のノイズ除去回路（ＣＤＳ）、可変利得増幅器で発生するｋＴＣノイズに対する抑制に関しては、何ら考慮がなされていない。
【００１３】
本発明は、上記の観点に着目してなされたもので、信号処理部のノイズ除去回路（ＣＤＳ）や可変利得増幅器に発生するｋＴＣノイズを抑制することで、画質の劣化を軽減できるようにした信号処理回路、及びその信号処理回路を搭載した撮像装置を提供することを目的とする。
【課題を解決するための手段】
【００１４】
上記問題点を解決するため、請求項１に係る発明は、固体撮像素子に対して電荷蓄積時間を設定する電荷蓄積時間設定部と、前記固体撮像素子からの映像信号出力をサンプルホールドする容量値可変のコンデンサを有するサンプルホールド回路と、前記電荷蓄積時間設定部における電荷蓄積時間の設定に応じて前記サンプルホールド回路のコンデンサの容量値を可変設定する容量設定部とを備えて信号処理回路を構成するものである。
【００１５】
請求項２に係る発明は、請求項１に係る信号処理回路において、前記容量設定部は、電荷蓄積時間設定部により設定された時間が、予め設定されている閾値時間より長い場合に、前記サンプルホールド回路の前記映像信号出力をホールドするコンデンサの容量値を増加させることを特徴とするものである。
【００１６】
請求項３に係る発明は、請求項２に係る信号処理回路において、前記閾値時間を、前記容量設定部に対して設定する閾値時間設定部を更に有することを特徴とするものである。
【００１７】
請求項４に係る発明は、固体撮像素子からの映像信号出力をサンプルホールドする容量値可変のコンデンサを有するサンプルホールド回路と、複数の撮影モードから所望の撮影モードを設定するモード設定部と、前記モード設定部による撮影モードの設定に応じて、前記サンプルホールド回路の前記映像信号出力をホールドするコンデンサの容量値を可変する容量設定部とを備えて信号処理回路を構成するものである。
【００１８】
請求項５に係る発明は、請求項１〜４のいずれか１項に係る信号処理回路において、前記サンプルホールド回路は、差動増幅器と、一端が前記差動増幅器の入力端子に接続された第１のコンデンサと、信号入力端子に一端を接続し、他端を前記第１のコンデンサの他端に接続した第１のスイッチと、前記第１のコンデンサの他端と前記差動増幅器の出力端子とを接続する第２のスイッチと、直列に接続された第３のスイッチと第２の容量とを１ユニットとして、このユニットを前記第１のコンデンサに並列に１ユニット以上接続した容量可変部とを有することを特徴とするものである。
【００１９】
請求項６に係る発明は、請求項１〜５に係る信号処理回路において、前記容量設定部にて設定された前記サンプルホールド回路のコンデンサの容量値に応じ、前記固体撮像素子の映像信号読出し周波数と、前記サンプルホールド回路のサンプリング周波数とを制御する周波数制御部を更に有することを特徴とするものである。
【００２０】
請求項７に係る発明は、固体撮像素子と、前記固体撮像素子からの信号を処理する請求項１〜６のいずれか１項に係る信号処理回路と、前記信号処理回路からの出力を外部装置が要求する信号形式に変換する出力信号変換部とを備えて撮像装置を構成するものである。
【発明の効果】
【００２１】
請求項１に係る発明によれば、ｋＴＣノイズを抑制し画質の劣化を軽減することの可能な信号処理回路を実現することができる。また請求項２及び３に係る発明によれば、固体撮像素子の電荷蓄積の時間設定が、ある任意の閾値時間以上の場合、ホールドするコンデンサの容量値を大きくすることにより、ｋＴＣノイズが低減された映像信号出力が得られる信号処理回路を実現できる。また請求項４に係る発明によれば、使用者の意図する撮影モードにより、ホールドするコンデンサの容量値を強制的に可変できるので、例えば、ノイズ低減モードを選択して、コンデンサの容量値を大きくすれば、ｋＴＣノイズが低減された映像信号出力が得られる信号処理回路を実現できる。また請求項５に係る発明によれば、固体撮像素子からの映像信号出力をサンプルホールドするサンプルホールド回路のコンデンサの容量値を容易に可変でき、容易にｋＴＣノイズが低減された映像信号出力が得られる信号処理回路を実現できる。また請求項６に係る発明によれば、ホールドするコンデンサの容量値を増加させるのがより一層容易になり、更に容易にｋＴＣノイズが低減された映像信号出力が得られる信号処理回路を実現できる。また請求項７に係る発明によれば、例えば、長時間露光時に信号処理回路部のｋＴＣノイズが低減された映像信号出力が得られるので、画質の向上が可能な撮像装置を実現できる。
【発明を実施するための最良の形態】
【００２２】
次に、本発明を実施するための最良の形態について説明する。
【実施例】
【００２３】
（実施例１）
まず、実施例１について説明する。図１は本発明に係る信号処理回路の実施例１の構成を示すブロック構成図である。この実施例は、請求項１〜３に係る発明に対応する実施例である。図１に示すように、本実施例に係る信号処理回路は、固体撮像素子１の電荷蓄積時間を設定する電荷蓄積時間設定部２と、固体撮像素子１からの映像信号出力をホールドする容量可変のコンデンサを含むサンプルホールド回路３及びＡ／Ｄ変換器４を有する、固体撮像素子１からの映像信号出力を処理する映像信号処理部５と、電荷蓄積時間設定部２により設定された電荷蓄積時間と閾値時間とを比較／判定する電荷蓄積時間判定部61及びその判定結果に基づいてサンプルホールド回路３内の可変コンデンサの容量を変更する容量値可変部62を有する容量設定部６と、固体撮像素子１の読み出し周波数を発生する読み出し周波数発生部71と映像信号処理部、特にサンプルホールド回路３のサンプリング周波数を発生するサンプリング周波数発生部72を有する周波数制御部７と、電荷蓄積時間判定部61に閾値時間を設定する閾値時間入力部８とで構成されている。ここで、電荷蓄積時間設定部２は、例えば、測光により露出時間を設定する露光時間設定回路で構成されている。
【００２４】
図２は、図１に示した実施例１に係る信号処理回路におけるサンプルホールド回路３の具体的な構成例を示す図であり、この構成例に係るサンプルホールド回路は、差動増幅器９と、信号入力端子と差動増幅器９の入力端子間に接続された第１の可変容量10，10′と、差動増幅器９の入出力端子間に接続された第２の可変容量11，11′とで構成されている。
【００２５】
次に、このように構成されている信号処理回路の動作について説明する。図１において、固体撮像素子１からの映像信号出力を、映像信号処理部５のサンプルホールド回路３にてサンプリングし、必要な信号がきた時点でホールドする。ここで、サンプルホールド回路３にてｋＴＣノイズが発生し、サンプルホールド回路３からの映像出力信号が劣化する。ｋＴＣノイズＶn は、次の（１）式で表される。
Ｖn ＝√ｋＴ／Ｃ  ・・・・・・・・・・・（１）
ここで、ｋはボルツマン係数、Ｔは絶対温度、Ｃは信号をホールドするコンデンサの容量とする。よって、ｋＴＣノイズＶn の劣化をできる限り抑えるには、Ｃを大きくする。つまり、サンプルホールド回路３のホールドコンデンサの容量を大きくすればよいことが、（１）式からわかる。
【００２６】
しかしながら、サンプルホールド回路３のホールドコンデンサの容量を大きくすると、信号読み出し時の駆動負荷が大きくなるので消費電力が大きくなるデメリットがある。電子カメラ等の撮像装置では、例えば、長時間露光時のように、読み出しのスピードはあまり問題がないが、できるだけノイズによる映像信号の劣化を避けたい場合がある。
【００２７】
そこで、本実施例においては、露光時間を決める、固体撮像素子１の電荷蓄積の時間設定に応じて、サンプルホールド回路３のホールドコンデンサの容量値を最適な値に可変することで、ｋＴＣノイズが低減された映像信号出力が得られるようにしている。すなわち、電荷蓄積時間設定部２において設定された電荷蓄積時間に応じて、容量設定部６の電荷蓄積時間判定部61と容量値可変部62を介して、サンプルホールド回路３の第１及び第２の可変容量10，10′，11，11′の値を最適に可変設定することにより、ｋＴＣノイズを低減した映像信号出力が得られる。この際、電荷蓄積時間設定部２で設定された固体撮像素子１の電荷蓄積時間の設定時間を、電荷蓄積時間判定部61において、閾値時間入力部８によりあらかじめ設定されている閾値時間と比べて、長いかどうか判断し、長い場合には、容量値可変部62を介してサンプルホールド回路３のホールドコンデンサの容量値を増加させることで、自動的にｋＴＣノイズが低減された映像信号出力が得られる。また、あらかじめ設定されている閾値時間を外部から使用者によって選択されることで、使用者の意図した設定で、サンプルホールド回路３のホールドコンデンサの容量値を可変することもできる。
【００２８】
（実施例２）
次に、実施例２について説明する。図３は、本発明に係る信号処理回路の実施例２を示すブロック構成図であり、図１に示した実施例１に係る信号処理回路と同一の機能を有するブロックには同一符号を付して示している。なお、この実施例は、請求項４に係る発明に対応する実施例である。図３に示すように、この実施例に係る信号処理回路は、固体撮像素子１の電荷蓄積時間を設定する電荷蓄積時間設定部２と、固体撮像素子１からの映像信号出力を処理するサンプルホールド回路３及びＡ／Ｄ変換器４を有する映像信号処理部５と、複数のモードから使用者によって選択されたモードを設定するモード設定部81による設定モードに応じて、サンプルホールド回路３にて映像信号出力をホールドするコンデンサの容量値を可変設定する容量設定部６と、固体撮像素子１の読み出し周波数を発生する読み出し周波数発生部71とサンプリング周波数発生部72を有する周波数制御部７とで構成されている。
【００２９】
次に、このように構成されている実施例２に係る信号処理回路の動作について説明する。この実施例２において、図１に示した実施例１の動作と異なる点は、図１に示した実施例１に係る信号処理回路では、サンプルホールド回路３の可変コンデンサの容量値が、固体撮像素子１の電荷蓄積の時間設定に応じて決定されるのに対し、本実施例では、モード設定部81において複数のモードから使用者によって選択設定されたモードに応じて、容量設定部６により可変コンデンサの容量値を可変するようにしている点である。
【００３０】
このように構成した信号処理回路によれば、使用者の意図するモードにより、サンプルホールド回路における映像信号をホールドするコンデンサの容量値を強制的に可変できるので、例えば、ノイズ低減モードを選択して、コンデンサの容量値を大きくすれば、ｋＴＣノイズが低減された映像信号出力が得られる信号処理回路を実現できる。
【００３１】
（実施例３）
次に、実施例３について説明する。図４は、実施例３に係る信号処理回路におけるサンプルホールド回路の構成を示す回路構成図である。この実施例は、請求項５に係る発明に対応する実施例である。この実施例に係る信号処理回路におけるサンプルホールド回路３は、次のように構成されている。すなわち、一端が差動増幅器９の反転入力端子に接続され、他端がスイッチＳＷ１を介して信号入力端子Ｖinp に接続されたコンデンサＣ11と、スイッチＳＷ１とコンデンサＣ11の接続部と差動増幅器９の非反転出力端子間に接続されたスイッチＳＷ２とを備え、更に直列に接続されたスイッチＳＷ12とコンデンサＣ12とがコンデンサＣ11の両端に並列に接続され、同様に直列接続のスイッチＳＷ13とコンデンサＣ13，・・・，直列接続のスイッチＳＷ1nとコンデンサＣ1nとがコンデンサＣ11の両端に並列に接続され、差動増幅器９の反転入力端子と基準電圧源Ｖref1の間にスイッチＳＷ３が接続されている。また、一端が差動増幅器９の非反転入力端子に接続され、他端がスイッチＳＷ１′を介して信号入力端子Ｖinn に接続されたコンデンサＣ11′と、スイッチＳＷ１′とコンデンサＣ11′の接続部と差動増幅器９の反転出力端子間に接続されたスイッチＳＷ２′とを備え、更に直列に接続されたスイッチＳＷ12′とコンデンサＣ12′とがコンデンサＣ11′の両端に並列に接続され、同様に直列接続のＳＷスイッチ13′とコンデンサＣ13′，・・・，直列接続のスイッチＳＷ1n′とコンデンサＣ1n′とがコンデンサＣ11′の両端に並列に接続され、差動増幅器９の非反転入力端子と基準電圧源Ｖref1の間にスイッチＳＷ３′が接続されている。また、差動増幅器９の非反転出力端子と出力端子Ｖopが接続され、反転出力端子と出力端子Ｖonが接続され、差動増幅器９の非反転出力端子と反転出力端子間にスイッチＳＷ４が接続されて、サンプルホールド回路が構成されている。なお、実施例３において、サンプルホールド回路以外の構成は、図１又は図３に示した実施例１又は２と同様である。
【００３２】
次に、このように構成されているサンプルホールド回路の動作について説明する。図４に示されたサンプルホールド回路におけるＳＷスイッチ12，13・・・1n，スイッチＳＷ12′，13′・・・1n′は、それぞれ、図１に示した実施例１あるいは図３に示した実施例２における容量設定部６により、そのＯＮ／ＯＦＦが設定される。ここで、まずスイッチＳＷ12，13・・・1n，スイッチＳＷ12′，13′・・・1n′が全てオフに設定されていると仮定する。このとき、上記各コンデンサの値を全て同じＸとすると、図４に示す本実施例に係るサンプルホールド回路で発生するｋＴＣノイズＶnall１は、次のように表される。まずコンデンサＣ11に蓄積されるノイズをＶn2１，コンデンサＣ11′に蓄積されるノイズをＶn2２とすると、コンデンサＣ11とＣ11′のみが動作している状態でのノイズの和Ｖn2all1（平均２乗雑音）は、
Ｖn2all1＝Ｖn2１＋Ｖn2２  ・・・・・・・・・・・・（２）
となる。ここで、コンデンサＣ11とコンデンサＣ11′のサイズが等しく、ノイズの発生量も等しいので、Ｖn2１＝Ｖn2２となり、これをＶn2とすると、ｋＴＣノイズＶnall１は、    Ｖnall１＝√（２Ｖn2）＝√２Ｖn   ・・・・・・・・（３）
となる。
【００３３】
次に、スイッチＳＷ12及びスイッチＳＷ12′がオン、他のスイッチＳＷ13・・・ＳＷ1n及びＳＷ13′・・・ＳＷ1n′が全てオフに設定されていると、図４の回路で発生するｋＴＣノイズＶnall２は、コンデンサが値が２倍になるので、
Ｖnall２＝√２Ｖn ＝√２√ｋＴ／２ｃ  ・・・・・・（４）
となり、この場合は（３）式と比較してｋＴＣノイズを抑えることができることがわかる。
【００３４】
（実施例４）
次に、実施例４について説明する。この実施例は請求項６に係る発明に対応する実施例である。本実施例は、上記実施例１〜３に係る信号処理回路において、サンプルホールド回路３にて映像信号出力をホールドする可変コンデンサの容量値を増加させるのに合わせて、周波数制御部７における読み出し周波数発生部71及びサンプリング周波数発生部72が発生する信号の周波数を共に下げるように構成したものである。
【００３５】
このように構成した信号処理回路によれば、サンプルホールド回路３において、より一層ホールドするコンデンサの容量値を増加させるのが容易になり、更にｋＴＣノイズが低減された映像信号出力が得られる信号処理回路を実現できる。
【００３６】
（実施例５）
次に、本発明に係る信号処理回路を用いた撮像装置の実施例を実施例５として説明する。図５は、本実施例に係る撮像装置の構成を示すブロック構成図である。この実施例は、請求項７に係る発明に対応する実施例である。本実施例に係る撮像装置は、撮像素子１と、実施例１〜４の、いずれかの実施例に示した信号処理回路30と、この信号処理回路30からの出力を外部装置50，例えば、記録媒体50ａ，ＬＣＤ表示装置50ｂ，又は通信装置50ｃが要求する信号形式に変換する出力信号変換部40とを備えて構成している。
【００３７】
このように構成した撮像装置によれば、例えば、長時間露光時に信号処理回路部30のｋＴＣノイズが低減された映像信号出力が得られるので、画質の向上が可能な撮像装置を実現することができる。
【図面の簡単な説明】
【００３８】
【図１】本発明に係る信号処理回路の実施例１の構成を示すブロック構成図である。
【図２】図１に示した実施例１に係る信号処理回路におけるサンプルホールド回路の構成例を示す回路構成図である。
【図３】本発明に係る信号処理回路の実施例２の構成を示すブロック構成図である。
【図４】本発明に係る信号処理回路の実施例３におけるサンプルホールド回路の構成を示す回路構成図である。
【図５】本発明に係る撮像装置の実施例を示すブロック構成図である。
【図６】従来の信号処理部の構成を示すブロック構成図である。
【図７】図６に示した信号処理部の詳細な構成を示す回路構成図である。
【図８】図６に示した信号処理部の動作を説明するための各部の信号波形を示す図である。
【符号の説明】
【００３９】
１  撮像素子
２  電荷蓄積時間設定部
３  サンプルホールド回路
４  Ａ／Ｄ変換器
５  映像信号処理部
６  容量設定部
61  電荷蓄積時間判定部
62  容量値可変部
７  周波数制御部
71  読み出し周波数発生部
72  サンプリング周波数発生部
８  閾値時間入力部
81  モード設定部
10，10′  第１の可変容量
11，11′  第２の可変容量
30  信号処理回路
40  出力信号変換部
50  外部装置
50ａ  記録媒体
50ｂ  ＬＣＤ表示装置
50ｃ  通信装置
【図１】
2007043258.tif 000003
【図２】
2007043258.tif 000004
【図３】
2007043258.tif 000005
【図４】
2007043258.tif 000006
【図５】
2007043258.tif 000007
【図６】
2007043258.tif 000008
【図７】
2007043258.tif 000009
【図８】
2007043258.tif 000010